(57)【要約】  【課題】  コネクタをプリント回路ボードに設ける面積を省き、製造コストを大幅に節減するカード読み取り装置を提供する。  【解決手段】  上開口を形成してなる上ハウジングと、該上ハウジングと組み合わせてハウジングを構成し、かつ該上開口に対応する下開口を形成してなる下ハウジングと、かつ該と、該ハウジング内に設けられ、かつ一端に設けられるＵＳＢ端子部と、該上開口と該下開口とに対応する位置に設けるメモリカード端子部とを具えるプリント回路ボードと、を含み構成される。【選択図】  図２ 
0003115835.tif 000002
【実用新案登録請求の範囲】
【請求項１】
上開口を形成してなる上ハウジングと、
該上開口に対応する下開口を形成してなり、かつ該上ハウジングと組み合わせてハウジングを構成する下ハウジングと、
該上ハウジングと該下ハウジングとによって構成される該ハウジング内に設けられ、かつ一端に設けられるＵＳＢ端子部と、該上開口と該下開口とに対応する位置に設けるメモリカード端子部とを具えるプリント回路ボードと、を含んでなることを特徴とするメモリカード読み取り装置。
【請求項２】
前記下ハウジングが上ハウジングより長く形成され、かつ一端に突出部を形成し、該突出部内に該ＵＳＢ端子部を設けることを特徴とする請求項１に記載のメモリカード読み取り装置。
【請求項３】
前記メモリカード端子部が、第１導電端子セットと、該第１導電端子セットと互い違いに設けられる第２導電端子セットと、該第１導電端子セットと該第２導電端子セットの側面に設けられる位置決め用の弾性アームとをさらに含むことを特徴とする請求項１に記載のメモリカード読み取り装置。
【請求項４】
前記突出部の仕様がＵＳＢコネクタ規格に対応することを特徴とする請求項２に記載のメモリカード読み取り装置。
【請求項５】
前記上開口の内径が該下開口に比してやや大きいことを特徴とする請求項１に記載のメモリカード読み取り装置。
【請求項６】
前記上開口に、ＳＤメモリカードを挿入する第１スロットを形成することを特徴とする請求項１に記載のメモリカード読み取り装置。
【請求項７】
前記下開口に、ＭＭＣメモリカードを挿入する第２スロットを形成することを特徴とする請求項１に記載のメモリカード読み取り装置。
【考案の詳細な説明】
【技術分野】
【０００１】
この考案はメモリカードのデータを読み取るメモリカード読み取り装置に関する。
【背景技術】
【０００２】
メモリカードを利用してデータを保存する方法は、様々な電子装置において広く応用されている。また、メモリカードに保存したデータはカード読み取り装置によって読み取る。よって、カード読み取り装置はデータの保存、管理に必要な装置となっている。従来のカード読み取り装置は、ハウジング、回路ボード、コネクタ、ＩＣユニットなどを含んでなる。よって、これら構成部材について製造コストを節減するかが、製造メーカーにとって一つの課題となっている。
【０００３】
従来のカード読み取り装置は、ハウジング内に回路ボード、コネクタ、ＩＣユニットを設ける。該コネクタ、ＩＣユニットは該回路ボード上に設けられる。該コネクタは、電子デバイス、もしくはメモリカードに接続してデータの伝送、もしくはメモリカードに保存したデータを読み取るために用いる。よって、コネクタはカード読み取り装置において重要な部分である。
【０００４】
従来のコネクタは、カード読み取り装置を製造する場合、通常コネクタの製造業者から購買して回路ボードに溶着する。係る製造方法はカード読み取り装置の製造コストを節減することが難しい。即ち、コネクタの購買に係るコストを効率よく低減させることは難しく、購買したコネクタを回路ボードに溶着するためのコストも低減させることが難しい。製造コストを節減することができなければ、カード読み取り装置の市場において製品の競争能力を高めることができない。
【考案の開示】
【考案が解決しようとする課題】
【０００５】
この考案は、従来の製造方法に見られるコネクタに係るコストを低減させることによって装置全体の製造コストを節減するカード読み取り装置を提供することを課題とする。
【課題を解決するための手段】
【０００６】
そこで、本考案者は従来の技術に見られる欠点に鑑み鋭意研究を重ねた結果、上開口を形成してなる上ハウジングと、該上ハウジングと組み合わせてハウジングを構成し、かつ該上開口に対応する下開口を形成してなる下ハウジングと、かつ該と、該ハウジング内に設けられ、かつ一端に設けられるＵＳＢ端子部と、該上開口と該下開口とに対応する位置に設けるメモリカード端子部とを具えるプリント回路ボードと、を含んでなるメモリカード読み取り装置の構造によって課題を解決できる点に着眼し、かかる知見に基づいて本考案を完成させた。
【０００７】
以下、本考案について具体的に説明する。
請求項１に記載するメモリカード読み取り装置は、上開口を形成してなる上ハウジングと、
該上開口に対応する下開口を形成してなり、かつ該上ハウジングと組み合わせてハウジングを構成する下ハウジングと、
該上ハウジングと該下ハウジングとによって構成される該ハウジング内に設けられ、かつ一端に設けられるＵＳＢ端子部と、該上開口と該下開口とに対応する位置に設けるメモリカード端子部とを具えるプリント回路ボードと、を含んでなり、かかる構成によってコネクタをプリント回路ボードに設ける面積を省き、製造コストを節減する目的を達成することができる。
【０００８】
請求項２に記載するメモリカード読み取り装置は、請求項１における下ハウジングが上ハウジングより長く形成され、かつ一端に突出部を形成し、該突出部内に該ＵＳＢ端子部を設ける。
【０００９】
請求項３に記載するメモリカード読み取り装置は、請求項１におけるメモリカード端子部が、第１導電端子セットと、該第１導電端子セットと互い違いに設けられる第２導電端子セットと、該第１導電端子セットと該第２導電端子セットの側面に設けられる位置決め用の弾性アームとをさらに含み、該第１導電端子セットと該第２導電端子セットとを介して該プリント回路ボードと挿入するメモリカードとを連結し、かつ該弾性アームによって挿入するメモリカードの位置決めを行う。
【００１０】
請求項４に記載するメモリカード読み取り装置は、請求項２における突出部の仕様がＵＳＢコネクタ規格に対応する。
【００１１】
請求項５に記載するメモリカード読み取り装置は、請求項１における上開口の内径が該下開口に比してやや大きい。
【００１２】
請求項１１に記載するメモリカード読み取り装置は、請求項１における上開口に、ＳＤメモリカードを挿入する第１スロットを形成する。
【００１３】
請求項１７に記載するメモリカード読み取り装置は、請求項１における下開口に、ＭＭＣメモリカードを挿入する第２スロットを形成する。
【考案の効果】
【００１４】
この考案によるカード読み取り装置は、コネクタをプリント回路ボードに設ける面積を省き、製造コストを大幅に節減するという効果を有する。
【考案を実施するための最良の形態】
【００１５】
この考案は、メモリカードの読み取り装置を提供するものであって、上開口を形成してなる上ハウジングと、該上開口に対応する下開口を形成してなり、かつ該上ハウジングと組み合わせてハウジングを構成する下ハウジングと、及び該上ハウジングと該下ハウジングとによって構成される該ハウジング内に設けられ、かつ一端に設けられるＵＳＢ端子部と、該上開口と該下開口とに対応する位置に設けるメモリカード端子部とを具えるプリント回路ボードと、によって構成し、コネクタに係るコストを低減させることによって装置全体の製造コストを節減するという目的を実現した。
係る構成のメモリカード読み取り装置について、その構造と特徴を説明するために具体的な実施例を挙げ、図面を参照にして以下に詳述する。
【実施例】
【００１６】
図１、２に開示するように、この考案によるカード読取装置１０は上ハウジング１１と、下ハウジング１２と、プリント回路ボード１３とを含んでなり、上ハウジング１１と、下ハウジング１２とを組み合わせてハウジングを構成する。また、上ハウジング１１と下ハウジング１２は上下対応する位置にそれぞれ上開口１１１と、下開口１２１とを形成する。上開口１１１の内径は下開口１２１に比してやや大きくする。上開口１１１には、さらにＳＤメモリカード２０を挿入する第１スロットを形成し、下開口１２１にはＭＭＣメモリカード３０を挿入する第２スロットを形成する。
【００１７】
さらに、下ハウジング１２は上ハウジング１１より長くして、突出部１２３を形成する。該突出部１２３の仕様は、ＵＳＢコネクタ規格に合わせる。
【００１８】
プリント回路ボード１３は上ハウジング１１と下ハウジング１２とによって構成されるハウジング内に設ける。また、プリント回路ボード１３上にはＵＳＢ端子部１３１と、メモリカード端子部１３２を設ける。ＵＳＢ端子部１３１は、下ハウジング１２の突出部１２３に対応するプリント回路ボード１３の一端において突出部１２３内に設け、メモリカード端子部１３２は、プリント回路ボード１３の上開口１１１と下開口１２１に対応する位置に設ける。
【００１９】
図３に開示するように、メモリカード端子部１３２は、さらに第１導電端子セット１３３と、第２導電端子セット１３４と、位置決め用の弾性アーム１３５とを含む。第１導電端子セット１３３と第２導電端子セット１３４は互い違いに設けられ、かつ弾性アーム１３５は第１導電端子セット１３５と第２導電端子セット１３４の側面に設ける。
【００２０】
図４Ａ、図４Ｂに開示するように、プリント回路ボード１３には、プリント回路ボード１３の幅よりやや狭くしてＵＳＢコネクタの使用に合わせたＵＳＢ端子部１３１の一端が形成される。
【００２１】
図５Ａ、図５Ｂ、図６Ａ、図６Ｂに開示するように、この考案におけるプリント回路ボード１３には、異なる規格のメモリカードに対応できる。即ち、ＳＤメモリカード２０上開口１１１から第１スロット１１２に進入して所定の位置に至ると、弾性アーム１３５がＳＤメモリカード２０の側面の凹部に係合して位置決めの目的を達成する。この場合第１導電端子セット１３３と第２導電端子セット１４４は、ＳＤメモリカード２０の対応する端子にそれぞれ接触して、ＳＤメモリカード２０とプリント回路ボード１３とが連結する。この状態において、後続のカード読み取りの動作を行うことができるようになる。
【００２２】
図６Ａ、図６Ｂに開示するようにプリント回路ボード１３にＭＭＣメモリカード３０を挿入する場合は、下開口１２１から第２スロット１２２に挿入され、プリント回路ボード１３の所定の位置に至ると、弾性アーム１３５がＭＭＣメモリカード３０の側面に緊密に当接して位置決めの目的を達成する。この場合第１導電端子セット１３３と第２導電端子セット１４４は、ＭＭＣメモリカード３０の対応する端子にそれぞれ接触して、ＭＭＣメモリカード３０とプリント回路ボード１３とが連結する。この状態において、後続のカード読み取りの動作を行うことができるようになる。
【００２３】
上述するように、プリント回路ボード１３上において、ＵＳＢ端子部１３１を直接メモリカード端子部１３２に形成することによって、コネクタをプリント回路ボードに設ける面積を省き、製造コストを大幅に節減することができる。
【００２４】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２５】
【図１】この考案によるカード読み取り装置の斜視図である。
【図２】図１に開示するカード読み取り装置の上ハウジングを外した状態を示した説明図である。
【図３】図１に開示するカード読取装置のプリント回路ボードの斜視図である。
【図４Ａ】図３に開示するプリント回路ボードの平面図である。
【図４Ｂ】図３に開示するプリント回路ボードの側面図である
【図５Ａ】図３に開示するプリント回路ボードにＳＤメモリカードを連結した状態を示す斜視図である。
【図５Ｂ】図５Ａの状態におけるプリント回路ボードの側面図である。
【図６Ａ】図３に開示するプリント回路ボードにＭＭＣメモリカードを連結した状態を示す斜視図である。
【図６Ｂ】図６Ａの状態におけるプリント回路ボードの側面図である。
【符号の説明】
【００２６】
１０          メモリカード読取装置
１１          上ハウジング
１１１        上開口
１１２        第１スロット
１２          下ハウジング
１２１        下開口
１２２        第２スロット
１２３        突出部
１３          プリント回路ボード
１３１        ＵＳＢ端子部
１３３        第１導電端子セット
１３４        第２導電端子セット
１３５        弾性アーム
２０          ＳＤメモリカード
３０          ＭＭＣメモリカード
【図１】
0003115835.tif 000003
【図２】
0003115835.tif 000004
【図３】
0003115835.tif 000005
【図４Ａ】
0003115835.tif 000006
【図４Ｂ】
0003115835.tif 000007
【図５Ａ】
0003115835.tif 000008
【図５Ｂ】
0003115835.tif 000009
【図６Ａ】
0003115835.tif 000010
【図６Ｂ】
0003115835.tif 000011